(57)【要約】【課題】本発明は、ＬＥＤヘッド（露光部材）の変形を抑制することで、画像品質の向上を図ることができる画像形成装置を提供することを目的とする。【解決手段】画像形成装置は、静電潜像が形成される感光体（感光ドラム５３）と、複数の明滅部を有して感光体を露光する露光部材（ＬＥＤヘッド４１）と、露光部材を支持する支持フレーム４３と、支持フレームと感光体との間に設けられ、感光体と露光部材との間隔を保持する間隔保持部材（ガイドローラ４４）と、露光部材と支持フレームとの間に配設され、露光部材と支持フレームとの間隔を調整するカム（偏心カム４５，４６）と、を備えている。そして、支持フレーム４３には、カムの軸を回転可能に支持するための軸受部１００が設けられている。【選択図】図２
2010054585.tif 000002
【特許請求の範囲】
【請求項１】
静電潜像が形成される感光体と、
複数の明滅部を有して前記感光体を露光する露光部材と、
前記露光部材を支持する支持フレームと、
前記支持フレームと前記感光体との間に設けられ、前記感光体と前記露光部材との間隔を保持する間隔保持部材と、
前記露光部材と前記支持フレームとの間に配設され、前記露光部材と前記支持フレームとの間隔を調整するカムと、を備え、
前記支持フレームには、前記カムの軸を回転可能に支持するための軸受部が設けられていることを特徴とする画像形成装置。
【請求項２】
前記露光部材または前記支持フレームの幅に対応する前記カムの大きさが前記幅よりも小さいことを特徴とする請求項１に記載の画像形成装置。
【請求項３】
前記支持フレームは、樹脂で形成されていることを特徴とする請求項１または請求項２に記載の画像形成装置。
【請求項４】
前記支持フレームには凹部が形成され、
前記凹部と前記カムとを繋ぐように前記凹部および前記カムに接着される接着剤が設けられていることを特徴とする請求項１〜請求項３のいずれか１項に記載の画像形成装置。
【請求項５】
前記凹部は、前記軸受部の内面に形成されていることを特徴とする請求項４に記載の画像形成装置。
【請求項６】
前記カムには、前記接着剤が入り込む穴部が形成されていることを特徴とする請求項４に記載の画像形成装置。
【請求項７】
前記穴部は、前記カムの端部に形成された溝であることを特徴とする請求項６に記載の画像形成装置。
【請求項８】
前記溝が前記カムの径方向に貫通して形成され、
前記カムの向きに関わらず、前記溝の一端が前記凹部内に位置するように構成されていることを特徴とする請求項７に記載の画像形成装置。
【請求項９】
前記カムは、
前記露光部材の一端側に配置されて前記露光部材を１点で押圧する第１カムと、
前記露光部材の他端側に配置されて前記露光部材を２点で押圧する第２カムとで構成され、
前記第１カムの軸と前記露光部材との間に、接着剤が設けられていることを特徴とする請求項１〜請求項８のいずれか１項に記載の画像形成装置。
【発明の詳細な説明】
【技術分野】
【０００１】
本発明は、ＬＥＤヘッド等の複数の明滅部を有する露光部材で、感光ドラム等の感光体を露光する画像形成装置に関する。
【背景技術】
【０００２】
ＬＥＤヘッドにより感光ドラムを露光する画像形成装置として、ＬＥＤヘッドと感光ドラムとの間に、ＬＥＤヘッドと感光ドラムとの光軸方向の間隔（以下、「光軸方向間隔」ともいう。）を保持するためのスペーサを設けたものがある。このような画像形成装置としては、従来、板状のスペーサとＬＥＤヘッドとの間に偏心カムを設け、この偏心カムでスペーサとＬＥＤヘッドとの光軸方向の間隔を微調整することで光軸方向間隔を微調整することが可能なものが知られている（特許文献１参照）。
【０００３】
【特許文献１】特開２００２−３６１９３１号公報
【発明の開示】
【発明が解決しようとする課題】
【０００４】
しかしながら、従来技術では、光軸方向間隔が短いことから、偏心カムやスペーサの大きさを非常に小さくしなければならず、偏心カムによる調整の精度やストロークに制限が生じる。このような制限が生じると、光軸方向間隔を精度よく設定することができず、画像品質が低下する可能性がある。
【０００５】
この問題に対して、本願出願人は、ＬＥＤヘッドを支持する支持フレームと、この支持フレームと感光ドラムの間隔を保持する間隔保持部材（スペーサに相当）と、支持フレームとＬＥＤヘッドとの間に設けられるカムとを備えた構造を開発した。これによれば、ＬＥＤヘッドと感光ドラムの間の短い光軸方向間隔の間に、間隔保持部材やカムを設ける必要がないので、上述した問題が解決された。
【０００６】
ただし、この構造において、カムの軸をＬＥＤヘッドで支持した場合には、カムの頭を逃がすための凹部をＬＥＤヘッドの筐体に形成する必要が出てくるので、ＬＥＤヘッドの強度が部分的に低下して変形が起こりやすくなり、画像品質や信頼性に影響を与えるおそれがあった。
【０００７】
そこで、本発明は、ＬＥＤヘッド（露光部材）の変形を抑制することで、画像品質の向上を図ることができる画像形成装置を提供することを目的とする。
【課題を解決するための手段】
【０００８】
前記課題を解決するため、本発明に係る画像形成装置は、静電潜像が形成される感光体と、複数の明滅部を有して前記感光体を露光する露光部材と、前記露光部材を支持する支持フレームと、前記支持フレームと前記感光体との間に設けられ、前記感光体と前記露光部材との間隔を保持する間隔保持部材と、前記露光部材と前記支持フレームとの間に配設され、前記露光部材と前記支持フレームとの間隔を調整するカムと、を備え、前記支持フレームには、前記カムの軸を回転可能に支持するための軸受部が設けられていることを特徴とする。
【０００９】
本発明によれば、支持フレームにカムの軸を支持する軸受部を設けることで、露光部材にカムの頭を逃げるための凹部を形成する必要がないので、露光部材の変形を抑制することができ、画像品質の向上を図ることができる。
【発明の効果】
【００１０】
本発明によれば、露光部材とは別の支持フレームにカムの軸を支持する軸受部を設けるので、露光部材の変形を抑制することができ、画像品質の向上を図ることができる。
【発明を実施するための最良の形態】
【００１１】
次に、本発明の実施形態について、適宜図面を参照しながら詳細に説明する。参照する図面において、図１は、画像形成装置の一例としてのカラープリンタの全体構成を示す断面図である。なお、以下の説明においては、まず、カラープリンタの全体構成を説明した後、本発明の特徴部分の詳細を説明することとする。
【００１２】
以下の説明において、方向は、カラープリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１３】
図１に示すように、カラープリンタ１は、本体筐体１０内に、用紙Ｐを供給する給紙部２０と、給紙された用紙Ｐに画像を形成する画像形成部３０と、画像が形成された用紙Ｐを排出する排紙部９０とを備えている。
【００１４】
本体筐体１０の上部には本体筐体１０に対し相対的に開閉自在なアッパーカバー１２が、後側に設けられたヒンジ１２Ａを支点として上下に回動自在に設けられている。アッパーカバー１２の上面は、本体筐体１０から排出された用紙Ｐを蓄積する排紙トレイ１３となっており、下面には後述するＬＥＤユニット４０を保持する複数のＬＥＤ取付部材１４が設けられている。
【００１５】
また、本体筐体１０内には、後述する各プロセスカートリッジ５０を着脱自在に収容する本体フレーム１５が設けられている。本体フレーム１５は、左右に一対設けられた金属製のサイドフレーム１５Ａ（片側のみ図示）と、一対のサイドフレーム１５Ａを連結するクロスメンバー１５Ｂが前後に一対設けられている。この本体フレーム１５は、本体筐体１０などに固定されている。
【００１６】
給紙部２０は、本体筐体１０内の下部に設けられ、本体筐体１０に着脱自在に装着される給紙トレイ２１と、給紙トレイ２１から用紙Ｐを画像形成部３０へ搬送する用紙供給機構２２を主に備えている。用紙供給機構２２は、給紙トレイ２１の手前側に設けられ、給紙ローラ２３、分離ローラ２４および分離パッド２５を主に備えている。
【００１７】
このように構成される給紙部２０では、給紙トレイ２１内の用紙Ｐが、一枚ずつ分離されて上方へ送られ、紙粉取りローラ２６とピンチローラ２７の間を通過する過程で紙粉が除去された後、搬送経路２８を通って後ろ向きに方向転換され、画像形成部３０に供給される。
【００１８】
画像形成部３０は、４つのＬＥＤユニット４０と、４つのプロセスカートリッジ５０と、転写ユニット７０と、定着ユニット８０とから主に構成されている。
【００１９】
ＬＥＤユニット４０は、ＬＥＤ取付部材１４に対して揺動可能に連結される連結部材１６に揺動可能に支持されており、サイドフレーム１５Ａに設けられる位置決め部材によって適宜位置決めされて支持されている。なお、ＬＥＤユニット４０の詳細な構造は、後述することとする。
【００２０】
プロセスカートリッジ５０は、アッパーカバー１２と給紙部２０との間で前後方向に並んで配置され、静電潜像が形成される感光体の一例としての感光ドラム５３や、符号を省略して示す公知の帯電器、現像ローラ、トナー収容室などを備えて構成されている。
【００２１】
転写ユニット７０は、給紙部２０と各プロセスカートリッジ５０との間に設けられ、駆動ローラ７１、従動ローラ７２、搬送ベルト７３および転写ローラ７４を主に備えている。
【００２２】
駆動ローラ７１および従動ローラ７２は、前後方向に離間して平行に配置され、その間にエンドレスベルトからなる搬送ベルト７３が張設されている。搬送ベルト７３は、その外側の面が各感光ドラム５３に接している。また、搬送ベルト７３の内側には、各感光ドラム５３との間で搬送ベルト７３を挟持する転写ローラ７４が、各感光ドラム５３に対向して４つ配置されている。この転写ローラ７４には、転写時に定電流制御によって転写バイアスが印加される。
【００２３】
定着ユニット８０は、各プロセスカートリッジ５０および転写ユニット７０の奥側に配置され、加熱ローラ８１と、加熱ローラ８１と対向配置され加熱ローラ８１を押圧する加圧ローラ８２とを備えている。
【００２４】
このように構成される画像形成部３０では、まず、各感光ドラム５３の表面が、帯電器により一様に帯電された後、各ＬＥＤユニット４０で露光される。これにより、露光された部分の電位が下がって、各感光ドラム５３上に画像データに基づく静電潜像が形成される。その後、静電潜像に現像ローラよりトナーが供給されることで、感光ドラム５３上にトナー像が担持される。
【００２５】
次に、搬送ベルト７３上に供給された用紙Ｐが各感光ドラム５３と搬送ベルト７３の内側に配置される各転写ローラ７４との間を通過することで、各感光ドラム５３上に形成されたトナー像が用紙Ｐ上に転写される。そして、用紙Ｐが加熱ローラ８１と加圧ローラ８２との間を通過することで、用紙Ｐ上に転写されたトナー像が熱定着される。
【００２６】
排紙部９０は、定着ユニット８０の出口から上方に向かって延び、手前側に反転するように形成された排紙側搬送経路９１と、用紙Ｐを搬送する複数対の搬送ローラ９２を主に備えている。トナー像が転写され、熱定着された用紙Ｐは、搬送ローラ９２によって排紙側搬送経路９１を搬送され、本体筐体１０の外部に排出されて排紙トレイ１３に蓄積される。
【００２７】
＜ＬＥＤユニットの構成＞
次に、本発明の特徴部分であるＬＥＤユニット４０の構成について詳細に説明する。参照する図面において、図２はＬＥＤユニットの構成を示す正面図であり、図３は第１カムを示す斜視図（ａ）と、第２カムを示す斜視図（ｂ）である。
【００２８】
図２に示すように、ＬＥＤユニット４０は、露光部材の一例としてのＬＥＤヘッド４１と、２本の線ばね４２と、樹脂製の支持フレーム４３と、間隔保持部材の一例としての２つのガイドローラ４４と、カムの一例としての２つの偏心カム４５，４６とを主に備えて構成されている。
【００２９】
ＬＥＤヘッド４１は、半導体チップに多数のＬＥＤを配列して構成された複数のＬＥＤアレイ４１Ａと、ヘッドフレーム４１Ｂと、レンズアレイ４１Ｃとを備えて構成されている。本実施形態においては、明滅部は、一例として、複数のＬＥＤアレイ４１Ａとレンズアレイ４１Ｃとにより構成されている。
【００３０】
複数のＬＥＤアレイ４１Ａは、左右方向（感光ドラム５３の軸方向）において所定の画素ピッチに応じて一列に配列されており、選択的に駆動されることで適宜発光して、光を感光ドラム５３に向けて照射するように構成されている。具体的に、各ＬＥＤアレイ４１Ａは、形成すべき画像のデータに基づいて、図示しない制御装置により信号が入力されて発光し、感光ドラム５３を露光する。
【００３１】
ヘッドフレーム４１Ｂは、樹脂で形成されており、その下部で複数のＬＥＤアレイ４１Ａを支持している。なお、ヘッドフレーム４１Ｂが樹脂で形成されることにより、ＬＥＤヘッド４１の小型化および低コスト化が図られるとともに、帯電器などの高圧部品からの放電が抑制されている。
【００３２】
レンズアレイ４１Ｃは、複数のセルフォックレンズ（登録商標）が配列されたものであり、各ＬＥＤアレイ４１Ａの配列方向に沿って延びて、ヘッドフレーム４１Ｂの下面の両端部を少し残した状態でヘッドフレーム４１Ｂに固定されている。
【００３３】
線ばね４２は、略Ｖ字状に形成される線状の引きばねであり、ＬＥＤヘッド４１を支持フレーム４３に向けて付勢している。
【００３４】
支持フレーム４３は、ＬＥＤヘッド４１を線ばね４２を介して支持するものであり、左右方向に延びるベース部４３Ａと、ベース部４３Ａの両端から下方に延出する一対の延出部４３Ｂとを備えて構成されている。
【００３５】
ベース部４３Ａには、線ばね４２を支持する係合ピン部４３Ｃと、偏心カム４５，４６を回転可能に支持する軸受部１００とが左右対称な位置に２つ形成されている。なお、軸受部１００の詳細は後述することとする。
【００３６】
そして、このベース部４３Ａの上面には、支持フレーム４３を下方の感光ドラム５３に向けて押圧する２つのコイルばね４７が左右対称な位置に配設されており、これにより、支持フレーム４３が２つのコイルばね４７によって左右方向でバランス良く押圧されるようになっている。
【００３７】
延出部４３Ｂは、ベース部４３Ａに線ばね４２を介して支持されるＬＥＤヘッド４１の下面よりも下方に突出する長さで形成されており、その下端部には、ガイドローラ４４を回転可能に支持する軸部４３Ｆが設けられている。
【００３８】
ガイドローラ４４は、円筒状の部材であり、支持フレーム４３の延出部４３Ｂの下端部にある軸部４３Ｆに回転可能に設けられることで、ＬＥＤヘッド４１から所定距離だけ離間されて設置されている。このガイドローラ４４は、前述したコイルばね４７からの付勢力が支持フレーム４３を介して伝達されることで、感光ドラム５３に押し付けられて感光ドラム５３に従動回転するようになっている。そして、このガイドローラ４４が、感光ドラム５３と接触することで、感光ドラム５３が偏芯している場合でも、感光ドラム５３と支持フレーム４３に支持されたＬＥＤヘッド４１との光軸方向の間隔（光軸方向間隔Ｓ）が保持されるようになっている。
【００３９】
言い換えると、ガイドローラ４４は、支持フレーム４３を介してＬＥＤヘッド４１と感光ドラム５３との間隔を保持している。すなわち、ガイドローラ４４によって支持フレーム４３と感光ドラム５３との間隔が保たれ、このように感光ドラム５３に対して間隔が保たれた支持フレーム４３にＬＥＤヘッド４１が支持されることで、ＬＥＤヘッド４１と感光ドラム５３との間隔が保たれている。
【００４０】
なお、ガイドローラ４４は、感光ドラム５３の表面のうち感光層（露光される層）に接触してもよいし、この感光層よりも左右方向外側にある領域（感光層がない領域）に接触してもよい。
【００４１】
偏心カム４５，４６は、ＬＥＤヘッド４１と支持フレーム４３との間隔を調整するものであり、ＬＥＤヘッド４１と支持フレーム４３のベース部４３Ａとの間に配設されている。そして、各偏心カム４５，４６は、線ばね４２の付勢力を受けながらＬＥＤヘッド４１を光軸方向に押圧するように構成されている。
【００４２】
そして、一対の偏心カム４５，４６のうち左側の偏心カム４５は、ＬＥＤヘッド４１を１点で押圧するように構成され、右側の偏心カム４６は、ＬＥＤヘッド４１を２点で押圧するように構成されている。すなわち、すべての偏心カム４５，４６とＬＥＤヘッド４１との当接部分は、３箇所のみとなっている。なお、以下の説明では、左側の偏心カム４５を「第１カム４５」とも呼び、右側の偏心カム４６を「第２カム４６」とも呼ぶこととする。
【００４３】
具体的に、図３（ａ）に示すように、第１カム４５は、略円柱状の軸部４５Ａと、軸部４５Ａの外周面から突出するように形成される１つの作用部４５Ｂと、軸部４５Ａの両端部に形成される穴部の一例としてのマイナス溝４５Ｃとを有している。
【００４４】
軸部４５Ａは、その長さ（軸方向の長さ）がＬＥＤヘッド４１および支持フレーム４３の幅よりも短くなるように形成されている（図５参照）。ここで、ＬＥＤヘッド４１および支持フレーム４３の幅とは、本実施形態においては前後方向の幅をいい、別の言い方をすると、感光ドラム５３（感光体）の軸とＬＥＤヘッド４１から出射される光の光軸とに直交する方向の幅をいう。
【００４５】
そして、軸部４５Ａの両端部は、図４（ａ）に示すように、支持フレーム４３の軸受部１００に所定の渋さ（回転抵抗）で回転可能に支持されている。ここで、軸部４５Ａと軸受部１００との渋さは、線ばね４２による付勢力では、第１カム４５が回転しないような渋さに設定される。
【００４６】
作用部４５Ｂは、半円状に形成されており、その中心（半円の中心）が軸部４５Ａの中心から偏心するように、軸部４５Ａに一体に形成されている。
【００４７】
マイナス溝４５Ｃは、軸部４５Ａの中心を通るように軸部４５Ａの径方向に貫通して形成されている。これにより、マイナス溝４５Ｃにマイナスドライバーを係合させ、線ばね４２の付勢力よりも大きな力でマイナスドライバーを所定量回転させることで、第１カム４５が支持フレーム４３に対して所定量回転して、その位置に維持されるようになっている。
【００４８】
図３（ｂ）に示すように、第２カム４６は、第１カム４５と同様の軸部４６Ａ、作用部４６Ｂおよびマイナス溝４６Ｃを有しており、作用部４６Ｂを２つ有する点で第１カム４５とは異なっている。
【００４９】
次に、軸受部１００の詳細構造を説明する。参照する図面において、図４は軸受部周りの構造を示す拡大斜視図（ａ）と、軸受部周りの凹部に接着剤を充填した状態を示す拡大斜視図（ｂ）であり、図５は第１カムの軸部とＬＥＤヘッドとの間に接着剤を塗布した状態を示す側面図である。なお、以下の説明では、第１カム４５の軸受部１００の構造のみを説明し、同一構造となる第２カム４６の軸受部１００については説明を省略する。
【００５０】
図４（ａ）に示すように、軸受部１００は、Ｕ字の溝状に形成されており、Ｕ字状の内面１０１の曲面状の部分には、上方に向けて凹む第１凹部１０２が形成されている。また、軸受部１００の前後方向外側には、矩形の第２凹部１０３が形成されている。
【００５１】
具体的に、第２凹部１０３は、支持フレーム４３の前面（または後面）に対して前後方向内側に向けて凹んでおり、前後方向外側に開口するとともに、下方にも開口するように形成されている。そして、第２凹部１０３の上部には、前後方向内側に向けて凹むとともに軸受部１００の第１凹部１０２に連通する第３凹部１０４が形成されている。
【００５２】
そして、軸受部１００に回転可能に支持される第１カム４５のマイナス溝４５Ｃは、第１カム４５の向きに関わらず、その一端が第２凹部１０３内に位置するようになっている。具体的には、マイナス溝４５Ｃが左右方向に平行になった際（第２凹部１０３の下端縁と平行になった際）に、マイナス溝４５Ｃの両端（一部）が第２凹部１０３内に位置するようになっている。
【００５３】
そして、前述した各凹部１０２〜１０４内に接着剤Ｂを入れていくと、図４（ｂ）に示すように、第１カム４５のマイナス溝４５Ｃにも接着剤Ｂが入り込んで、支持フレーム４３と第１カム４５とが強固に固着されるようになっている。すなわち、このように各凹部１０２〜１０４と第１カム４５とを繋ぐように接着剤Ｂが接着されることで、硬化した接着剤Ｂと各凹部１０２〜１０４とで、第１カム４５の回り止めが構成されている。
【００５４】
また、図５に示すように、第１カム４５の軸部４５ＡとＬＥＤヘッド４１との間にも、接着剤Ｂが塗布されている。
【００５５】
以上によれば、本実施形態において以下のような効果を得ることができる。
ＬＥＤヘッド４１とは別の支持フレーム４３に偏心カム４５，４６の軸部４５Ａ，４６Ａを支持する軸受部１００を設けるので、ＬＥＤヘッド４１の変形を抑制することができ、画像品質の向上を図ることができる。
【００５６】
偏心カム４５，４６の長さがＬＥＤヘッド４１および支持フレーム４３の幅よりも短く形成されているので、偏心カム４５，４６がＬＥＤヘッド４１および支持フレーム４３から前後に飛び出すことがない。そのため、偏心カム４５，４６が感光ドラム５３周囲の構造と干渉することがないので、設計自由度が高まる。また、ユーザが不用意に偏心カム４５，４６に触れることを抑制できるので、ＬＥＤヘッド４１の位置を正規位置に保つことができ、信頼性を高めることができる。
【００５７】
支持フレーム４３が樹脂製であるため、偏心カム４５，４６の軸受部１００の形状を複雑な形状としても簡単に形成することができる。さらに、支持フレーム４３に補強リブを設けることも容易になる。
【００５８】
支持フレーム４３に形成される各凹部１０２〜１０４と偏心カム４５，４６とを繋ぐように接着剤Ｂが設けられるので、硬化した接着剤が各凹部１０２〜１０４に係合することで偏心カム４５，４６の回転を規制することができ、ひいては、ＬＥＤヘッド４１の位置を正規位置に保つことができる。
【００５９】
軸受部１００の内面１０１に第１凹部１０２が形成されているので、仮に表面に露出する第２凹部１０３および第３凹部１０４内の接着剤Ｂがユーザによって剥がされた場合であっても、第１凹部１０２内に接着剤Ｂが残っていれば、その部分だけで偏心カム４５，４６の回転を規制することができる。さらに、第１凹部１０２内の狭い空間に残った接着剤Ｂをユーザが剥がすことは困難であるため、この第１凹部１０２内の接着剤Ｂを確実に回り止めとして利用することができる。
【００６０】
偏心カム４５，４６に接着剤Ｂが入り込むマイナス溝４５Ｃ，４６Ｃが形成されているので、硬化した接着剤Ｂとマイナス溝４５Ｃ，４６Ｃとが係合することで、偏心カム４５，４６の回転を規制することができる。
【００６１】
偏心カム４５，４６の端部にマイナス溝４５Ｃ，４６Ｃを形成したので、このマイナス溝４５Ｃ，４６Ｃを前述のように回り止め用の溝として利用できるとともに、偏心カム４５，４６を操作するための溝としても利用することができる。
【００６２】
偏心カム４５，４６の向きに関わらず、マイナス溝４５Ｃ，４６Ｃの一端が第２凹部１０３内に位置するように構成されることによって、第２凹部１０３内等に接着剤Ｂを入れるときに偏心カム４５，４６のマイナス溝４５Ｃ，４６Ｃにも接着剤Ｂが入り込むので、接着剤Ｂの充填作業を容易にすることができる。
【００６３】
第１カム４５の軸部４５ＡとＬＥＤヘッド４１との間に接着剤Ｂが充填されているので、仮に第１カム４５の作用点と第２カム４６の１つの作用点とを結ぶ線を中心にしてＬＥＤヘッド４１が傾きそうになった場合であっても、この倒れを接着剤Ｂで抑えることができる。
【００６４】
偏心カム４５，４６の作用部４５Ｂ，４６Ｂが半円状に形成されているので、円状の作用部を軸部に偏心して形成する偏心カムに比べ、支持フレーム４３に作用部から逃げるための凹部を形成する必要がなくなり、支持フレーム４３の強度を高めることができる。また、半円状の偏心カム４５の直線状の端面を支持フレーム４３に係合させることで、偏心カム４５が一方向（図２の反時計回り）のみに回転可能となるので、偏心カムを逆方向に動かすことでＬＥＤヘッド４１が移動しないといった誤操作を防止して、迅速な調整を行うことができる。
【００６５】
なお、本発明は前記実施形態に限定されることなく、以下に例示するように様々な形態で利用できる。
前記実施形態では、カムとして偏心カム４５，４６を採用したが、本発明はこれに限定されず、卵形のカムなどを採用してもよい。
【００６６】
前記実施形態では、軸受部１００の周りに凹部１０２〜１０４を形成したが、本発明はこれに限定されず、軸受部１００から離れた場所に凹部を形成してもよい。
前記実施形態では、穴部としてマイナス溝４５Ｃ，４６Ｃを採用したが、本発明はこれに限定されず、例えば有底円筒状の穴を採用してもよい。
【００６７】
前記実施形態では、偏心カム４５，４６の長さをＬＥＤヘッド４１と支持フレーム４３の双方の幅よりも短く形成したが、本発明はこれに限定されず、カムの長さは支持フレーム４３およびＬＥＤヘッド４１のどちらか一方よりも小さければよい。
【００６８】
前記実施形態では、偏心カム４５，４６の軸方向を前後に向けたが、本発明はこれに限定されず、例えば左右に向けてもよい。なお、この場合には、支持フレーム４３等の幅（前後方向）に対応するカムの大きさ（例えばカムの作用部の最大長さ）を支持フレーム４３等の幅よりも小さく形成すればよい。
【００６９】
前記実施形態では、間隔保持部材として回転可能なガイドローラ４４を採用したが、本発明はこれに限定されず、回転しないものを間隔保持部材として採用してもよい。
【００７０】
前記実施形態では、露光部材として左右方向に一列に配列された複数のＬＥＤアレイ４１Ａを備えるＬＥＤヘッド４１を採用したが、本発明はこれに限定されるものではない。例えば、左右方向に並ぶ複数のＬＥＤを前後に複数列有するＬＥＤヘッドを露光部材として採用してもよい。また、ＬＥＤや蛍光灯などの１つの発光素子と、発光素子の外側に、左右方向に並んだ複数の液晶またはＰＬＺＴ素子の光学シャッタとで、複数の明滅部を構成し、このような明滅部を有するものを露光部材としてもよい。また、露光部材の光源としては、ＬＥＤに限らず、ＥＬ（エレクトロ・ルミネッセンス）素子や蛍光体などであってもよい。
【００７１】
前記実施形態では、カラープリンタ１に本発明を適用したが、本発明はこれに限定されず、その他の画像形成装置、例えば複写機や複合機などに本発明を適用してもよい。
前記実施形態では、感光体として感光ドラム５３を採用したが、本発明はこれに限定されず、例えばベルト状の感光体を採用してもよい。
【図面の簡単な説明】
【００７２】
【図１】画像形成装置の一例としてのカラープリンタの全体構成を示す断面図である。
【図２】ＬＥＤユニットの構成を示す正面図である。
【図３】第１カムを示す斜視図（ａ）と、第２カムを示す斜視図（ｂ）である。
【図４】軸受部周りの構造を示す拡大斜視図（ａ）と、軸受部周りの凹部に接着剤を充填した状態を示す拡大斜視図（ｂ）である。
【図５】第１カムの軸部とＬＥＤヘッドとの間に接着剤を塗布した状態を示す側面図である。
【符号の説明】
【００７３】
１      カラープリンタ
４０    ＬＥＤユニット
４１    ＬＥＤヘッド
４３    支持フレーム
４４    ガイドローラ
４５    第１カム
４５Ａ  軸部
４５Ｃ  マイナス溝
４６    第２カム
４６Ａ  軸部
４６Ｃ  マイナス溝
５３    感光ドラム
１００  軸受部
１０１  内面
１０２  第１凹部
１０３  第２凹部
１０４  第３凹部
Ｂ      接着剤
【図１】
2010054585.tif 000003
【図２】
2010054585.tif 000004
【図３】
2010054585.tif 000005
【図４】
2010054585.tif 000006
【図５】
2010054585.tif 000007